(57)【特許請求の範囲】
【請求項１】
テレビ音声多重信号を受信して映像中間周波信号と音声中間周波信号に変換して出力する受信回路と、
この受信回路から出力される映像中間周波信号に基づいて映像信号を生成する映像信号生成回路と、
上記受信回路から出力される音声中間周波信号を音声中間周波増幅したのちに音声検波して主チャンネル音声信号と副チャンネル音声信号とに分離して復調する１チップＩＣとを具備し、
上記１チップＩＣは、
上記受信回路から供給される音声中間周波信号を所定の利得で音声中間周波増幅したのちに音声検波する音声中間周波増幅兼音声検波回路と、
この音声中間周波増幅兼音声検波回路からの音声検波出力のレベルを常時監視しながら、その音声検波出力のレベルと上記受信回路の出力特性のばらつきを吸収するために相対的に設けた基準レベルとの差異に応じて上記音声中間周波増幅兼音声検波回路の利得をフィードバック制御するとともに、上記音声中間周波増幅兼音声検波回路から供給される上記音声検波出力を主チャンネル音声信号と副チャンネル音声信号とに分離したのちに復調し、且つ上記音声信号が周波数帯域に対応した信号レベルの強調処理がなされたものであると判別したときに、分離した主チャンネル音声信号と副チャンネル音声信号の音声復調時に元の信号レベルに復元する音多復調回路とを有していることを特徴とするテレビジョン受信装置。
【発明の詳細な説明】
【０００１】
【発明の属する技術分野】
本発明は、テレビジョン受信装置に関し、特に、テレビ音声多重信号を受信して映像信号を生成するとともに、主チャンネル音声信号と副チャンネル音声信号とを分離してそれぞれ復調して出力するテレビジョン受信装置に関する。
【０００２】
【従来の技術】
従来、この種のテレビジョン受信装置においては、チューナで変換される中間周波信号を映像中間周波信号および音声中間周波信号に分離し、その後、映像中間周波信号については映像中間周波増幅回路にて映像中間周波増幅した後に映像検波回路にて映像検波し、その検波出力に基づいて映像信号を生成している。また、音声中間周波信号については、音声中間周波増幅回路にて音声中間周波増幅した後、音声検波回路にて音声検波する。むろん、この音声検波出力には、主チャンネル音声信号と副チャンネル音声信号が含まれており、それぞれの音声信号をバンドパスフィルタを介するなどして分離し、所定の復調処理を行って各音声信号を得ていた。
【０００３】
一方、図５に示す実公昭６１−８７０３号公報に開示されたものにおいては、チューナ１からの中間周波信号をＩＦフィルタ２で映像中間周波信号と音声中間周波信号に分離し、それぞれ映像ＩＦ回路３と音声ＩＦ回路４に供給する。映像ＩＦ回路３では、まずＶＩＦ増幅回路３ａにて映像中間周波増幅した後に映像検波回路３ｂにて映像検波し、その映像検波出力に基づいて映像信号を生成する。他方、音声ＩＦ回路４では、まずＩＦ増幅回路４ａにて音声中間周波増幅した後、主音声信号を専用のインタキャリア検波回路４ｂにて検波し、副音声信号を主音声トラップ４ｃで主音声信号を除去した後に専用のインタキャリア検波回路４ｄにて検波する。そして、それぞれの検波出力をバンドパスフィルタ５ａ，５ｂを介して帯域制限して主音声復調回路６ａおよび副音声復調回路６ｂにて復調している。
【０００４】
【発明が解決しようとする課題】
上述した従来のテレビジョン受信装置においては、次のような課題があった。前者においては、主チャンネル音声信号と副チャンネル音声信号の分離が困難となってしまうことがあった。例えば、諸外国においてはいわゆるｄｂｘ方式を用いた放送形態が採用される場合がある。このｄｂｘ方式とは、放送局側で音声信号レベルをｄＢ値で半分にし、受信側で復調するときに倍にするというノイズリダクション方式である。このｄｂｘ方式が採用される場合、信号レベルが強調処理された音声信号に基づく主チャンネル音声信号と副チャンネル音声信号とを分離できるように予め各種の設定を施しておく必要がある。例えば、チューナについて見れば、その出力特性にはある程度のばらつきがあるため、チューナと音声中間周波増幅回路や音声検波回路との間で入出力レベルのマッチング作業を行う必要があり、かかる作業が煩わしかった。
【０００５】
一方、後者においては、主音声信号と副音声信号とで個別のインタキャリア検波回路４ｂ，４ｄを設けているので、確かに主音声信号と副音声信号の分離は行い易いといえる。しかし、上述したようにチューナの出力特性にはある程度のばらつきがあるため、ｄｂｘ方式が採用される場合などには同様にチューナと音声中間周波増幅回路や音声検波回路との間で入出力レベルのマッチング作業を行う必要があり、この点において前者のものと相違はない。
【０００６】
本発明は、上記課題にかんがみてなされたもので、テレビ音声多重信号を受信し、映像信号を生成するとともに、主チャンネル音声信号および副チャンネル音声信号を分離して復調するにあたり、チューナ等の受信回路と音声中間周波回路や音声検波回路との間の入出力レベル等のマッチング作業を軽減して製造作業効率を向上させることが可能となるとともに、ｄｂｘ方式等を利用した放送形態が採用される場合に好適なテレビジョン受信装置の提供を目的とする。
【０００７】
【課題を解決するための手段】
上記目的を達成するため、本発明に係るテレビジョン受信装置は、テレビ音声多重信号を受信して映像中間周波信号と音声中間周波信号に変換して出力する受信回路と、この受信回路から出力される映像中間周波信号に基づいて映像信号を生成する映像信号生成回路と、上記受信回路から出力される音声中間周波信号を音声中間周波増幅したのちに音声検波して主チャンネル音声信号と副チャンネル音声信号とに分離して復調する１チップＩＣとを具備し、上記１チップＩＣは、上記受信回路から供給される音声中間周波信号を所定の利得で音声中間周波増幅したのちに音声検波する音声中間周波増幅兼音声検波回路と、この音声中間周波増幅兼音声検波回路からの音声検波出力のレベルを常時監視しながら、その音声検波出力のレベルと上記受信回路の出力特性のばらつきを吸収するために相対的に設けた基準レベルとの差異に応じて上記音声中間周波増幅兼音声検波回路の利得をフィードバック制御するとともに、上記音声中間周波増幅兼音声検波回路から供給される上記音声検波出力を主チャンネル音声信号と副チャンネル音声信号とに分離したのちに復調し、且つ上記音声信号が周波数帯域に対応した信号レベルの強調処理がなされたものであると判別したときに、分離した主チャンネル音声信号と副チャンネル音声信号の音声復調時に元の信号レベルに復元する音多復調回路とを有していることを特徴としている。
【０００８】
上記のように構成した請求項１にかかる発明においては、受信回路はテレビ音声多重信号を受信して映像中間周波信号と音声中間周波信号に変換して出力し、映像信号生成回路が同映像中間周波信号に基づいて映像信号を生成する。他方、１チップＩＣは、同音声中間周波信号を中間周波増幅するとともに音声検波するが、このとき音声検波出力の利得を制御しており、この利得制御された音声検波出力にて主チャンネル音声信号と副チャンネル音声信号とに分離して復調する。
【０００９】
むろん、ここにおけるテレビ音声多重信号は、複数の音声信号が多重化されている場合を広く含み、ステレオ放送であるか二カ国語放送であるかは問題とはならない。後に詳述するが音声多重信号は、主チャンネル音声信号とＦＭ化された副チャンネル音声信号およびパイロット信号を含んでおり、ステレオ放送の場合は主チャンネル音声信号は（Ｌ＋Ｒ）信号となり、副チャンネル音声信号は（Ｌ−Ｒ）信号となる。また、二カ国語放送の場合は、主チャンネル音声信号は主音声信号、副チャンネル音声信号は副音声信号となっており、ステレオ放送の場合と復調処理が異なるが、上述したパイロット信号に基づいていずれの放送形態であるかを判別可能であり、その判別結果に応じて復調処理を切り換えればよい。
【００１０】
ここにおいて、音声検波出力の利得を制御する意味は、受信回路の出力特性のばらつきに依存することなく、主チャンネル音声信号と副チャンネル音声信号とを分離可能とすることにある。そこで、上記１チップＩＣは、周波数帯域に対応した信号レベルの強調処理がなされた音声信号に基づく主チャンネル音声信号と副チャンネル音声信号とを、上記受信回路の出力特性のばらつきによって音声信号レベルが低下している場合でも分離可能となるように音声検波出力レベルに応じてフィードバックによる利得制御をしつつ音声検波するとともに、分離した主チャンネル音声信号と副チャンネル音声信号の復調時に信号レベルを復元する。
【００１１】
上記の構成においては、周波数帯域に対応した信号レベルの強調処理がなされた音声信号に基づく主チャンネル音声信号と副チャンネル音声信号とが多重化されており、１チップＩＣは、かかる主チャンネル音声信号と副チャンネル音声信号とを、受信回路の出力特性のばらつきによって音声信号レベルが低下している場合でも分離可能となるように音声検波出力レベルに応じてフィードバックによる利得制御をしつつ音声検波し、分離した主チャンネル音声信号と副チャンネル音声信号の復調時に元の信号レベルに戻す。
【００１２】
ここにおいて、周波数帯域に対応した信号レベルの強調処理がなされた音声信号とは、一部の周波数帯域または全周波数帯域における信号レベルを作為的に変動させた音声信号を意味しており、その一例として上述したｄｂｘ方式を挙げることができる。このｄｂｘ方式が採用される場合には、放送局側にて音声信号レベルがｄＢ値で半分にされており、受信回路の出力特性のばらつきによって、かかる強調処理が施された音声信号に基づく主チャンネル音声信号と副チャンネル音声信号の分離が困難となる場合があるところ、１チップＩＣ内部にて同受信回路の出力特性のばらつきを吸収するように音声検波出力レベルを調整するため、主チャンネル音声信号と副チャンネル音声信号の分離は問題なく行われることになる。具体的には、１チップＩＣにて音声検波出力レベルを監視し、相対的な出力レベルに応じて利得を制御するなどの構成を適用可能である。さらに、１チップＩＣ内部でかかる制御を行うことができ、この意味においても好適であるといえる。
【００１３】
【発明の効果】
以上説明したように本発明は、音声系の１チップＩＣ内部にて受信回路の出力特性のばらつきを吸収するように音声検波出力のレベル調整を行うようにしたため、受信回路の出力特性に応じて１チップＩＣとの間での入出力レベルのマッチング作業を行う必要がなく、製造作業効率を向上させることが可能となるとともに、ｄｂｘ方式等を利用した放送形態が採用される場合に好適なテレビジョン受信装置を提供することができる。
【００１５】
【発明の実施の形態】
以下、図面に基づいて本発明の実施形態を説明する。図１は、本発明の一実施形態にかかるテレビジョン受信装置をブロック図により示している。同図において、チューナ１０は、Ｕ／Ｖアンテナの後段側に配置されるフロントエンド１１にて所望のチャンネル周波数に対応するテレビ放送信号を受信し、所定の中間周波信号に変換して出力する。このフロントエンド１１は、図２に示すように、Ｕ／Ｖアンテナからの信号において所要の信号だけを選択して増幅する高周波増幅器１１ａと、この高周波増幅器１１ａからの高周波信号を中間周波信号に変換するための局部発振器１１ｃおよび周波数混合器１１ｂと、同中間周波信号から映像中間周波信号と音声中間周波信号に分離するＩＦフイルタ１１ｄとから構成されている。
【００１６】
図２からも明らかなように、本実施形態においてはいわゆるセパレートキャリア方式を採用しており、ＩＦフィルタ１１ｄによって音声中間周波信号は映像中間周波信号と関係なく個別に取り出されるようにしてある。従って、本実施形態においては、フロントエンド１１が受信回路を構成する。そして、このフロントエンド１１におけるＩＦフィルタ１１ｄにて取り出された映像中間周波信号は、チューナ１０の内部に組み込まれたＶＩＦ回路１２にて映像中間周波増幅された後にビデオＩＣ２０に供給される。なお、本実施形態においては、チューナ１０の受信チャンネルは、マイコン３０によって設定することができるようになっている。
【００１７】
ビデオＩＣ２０では、供給される映像中間周波増幅信号にて映像検波し、その映像検波出力にて輝度信号と、搬送色信号およびカラーバースト信号と、同期信号とを分離する。そして、分離した輝度信号については適宜増幅するとともに、搬送色信号およびカラーバースト信号については、これらに基づいて所定の色復調処理を施して元の色信号を生成し、増幅後の輝度信号と生成した元の色信号とからなる映像信号を図示しない受像管に供給する。また、同期信号については、垂直および水平同期信号に分離し、これらに基づいて垂直および水平発振出力を得て上記受像管の偏向コイルに供給する。従って、本実施形態においては、チューナ１０内部のＶＩＦ回路１２と、ビデオＩＣ２０とが映像信号生成回路を構成する。なお、本実施形態におけるビデオＩＣ２０には、図示しないＡＧＣ回路が備えられており、上述した映像検波出力のレベルに応じたＡＧＣ電圧を発生してチューナ１０に供給するとともに、チューナ１０にてＡＧＣ電圧に基づいて利得を制御し、映像のコントラストが一定になるように保っている。
【００１８】
他方、フロントエンド１１から出力される音声中間周波信号は、オーディオＩＣ４０に供給される。そして、このオーディオＩＣ４０のＳＩＦ＆ＳＤＥＴ回路４１にて音声中間周波増幅した後に音声検波し、その音声検波出力を音多復調回路４２に供給する。さらに、音多復調回路４２では、その音声検波出力に基づいて主チャンネル音声信号と副チャンネル音声信号とに分離して復調する。
【００１９】
ここにおいて、音声検波出力の周波数特性は図３に示すようになっている。同図を参照すると、主チャンネル音声信号と副チャンネル音声信号とを一つの音声搬送波で搬送するため、周波数ｆｓの副搬送波を副チャンネル音声信号でＦＭするとともに、このＦＭ化された副チャンネル音声信号と所定のパイロット信号とが主チャンネル音声信号に合成されていることが分かる。むろん、ここにおいてステレオ放送であれば、主チャンネル音声信号は（Ｌ＋Ｒ）信号、副チャンネル音声信号は（Ｌ−Ｒ）信号となり、二カ国語放送であれば主チャンネル音声信号は主音声信号、副チャンネル音声信号は副音声信号となる。また、上述したパイロット信号は、約５５ｋＨｚの搬送波をステレオ放送、二カ国語放送の放送形態に応じてそれぞれ周波数ｆ１またはｆ２でＡＭした信号であり、これにより受信側でいずれの放送形態であるかを判別することができるようになっている。
【００２０】
図４は、音多復調回路４２の詳細な構成をブロック図により示している。
同図において、音多復調回路４２に入力された上記音声検波出力は、ＬＰＦ４２ａに入力されて主チャンネル音声信号が取り出され、この主チャンネル音声信号が増幅器４２ｂによって増幅されて切換マトリクス４２ｃに入力される。他方、上記音声検波出力における副チャンネル音声信号とパイロット信号は、ＢＰＦ４２ｄを介することによって取り出され、同副チャンネル音声信号についてはＦＭ検波器４２ｅによって検波され、増幅器４２ｆによって増幅されて切換マトリクス４２ｃに入力される。また、パイロット信号については、ＡＭ検波器４２ｇによって検波され、ｆ１フィルタ４２ｈおよびｆ２フィルタ４２ｉを介してそれぞれｆ１およびｆ２の周波数成分が取り出されて切換マトリクス４２ｃに入力される。
【００２１】
すなわち、上述したようにパイロット信号は、約５５ｋＨｚの搬送波をステレオ放送または二カ国語放送の種別に応じてそれぞれｆ１またはｆ２の周波数でＡＭしたものであるため、切換マトリクス４２ｃにはステレオ放送であればｆ１フィルタ４２ｈを介して入力があり、二カ国語放送であればｆ２フィルタ４２ｉを介して入力があり、さらにモノラル放送であればパイロット信号は存在しないためｆ１フィルタ４２ｈおよびｆ２フィルタ４２ｉのいずれからも入力がないことになる。
【００２２】
切換マトリクス４２ｃは、このｆ１フィルタ４２ｈおよびｆ２フィルタ４２ｉの入力状況に基づきステレオ放送であることを検知すると、主チャンネル音声信号である（Ｌ＋Ｒ）信号とＦＭ検波後の副チャンネル音声信号である（Ｌ−Ｒ）信号とを加算および減算してＬおよびＲの音声信号を生成してそれぞれ左右に分配出力する。また、切換マトリクス４２ｃは、同様の入力状況に基づき二カ国語放送であることを検知すると、上述した加算および減算は行わず、利用者の選択に応じて主音声または副音声のいずれを出力するか、あるいはそれぞれを同時に分配出力するかを切り換える。さらに、モノラル放送の場合には、副チャンネル音声信号は存在しないため、主チャンネル音声信号を左右両方に出力する。
【００２３】
以上のように、音声検波された音声多重信号は、音多復調回路４２にて主チャンネル音声信号と副チャンネル音声信号に分離されるが、かかる分離が困難になってしまう場合がある。例えば、諸外国においてはいわゆるｄｂｘ方式というノイズリダクション方式を用いた放送形態が採用されることがある。このｄｂｘ方式とは、上述したように放送局側で音声信号レベルをｄＢ値で半分にし、受信側での復調時に元に戻す手法である。従って、上述しなかったが、かかるｄｂｘ方式が採用される場合には、音多復調回路４２にて主チャンネル音声信号と副チャンネル音声信号に分離した後、復調時に上述したようなｄＢ値の復元が行われる。しかし、チューナ１０の出力特性にはある程度のばらつきがあり、このばらつきによって、ｄＢ値の操作された音声信号に基づく主チャンネル音声信号と副チャンネル音声信号の分離が困難となることは想定しうる。
【００２４】
従来、かかる場合には、チューナの出力特性のばらつきを、例えば半固定抵抗を使用して利得を可変することにより所定範囲内に入るように調整したのち、そのチューナの出力特性に合わせて、チューナと音声中間周波増幅回路や音声検波回路との間で信号入出力レベルのマッチング作業を行っていた。しかし、かかる作業は煩わしいことから、本実施形態においては、上述したチューナ１０の利得制御を行わずに、チューナ１０の出力特性のばらつきに加えてｄｂｘ方式のように音声信号レベルが低下している場合であっても、音多復調回路４２にて主チャンネル音声信号と副チャンネル音声信号とを分離可能となるようにオーディオＩＣ４０内部のＳＩＦ＆ＳＤＥ回路４１の出力の利得制御を自動的に行っている。具体的には、音多復調回路４２にてＳＩＦ＆ＳＤＥＴ回路４１による検波出力レベルを監視し、その検波出力レベルとチューナの出力特性のばらつきを吸収するために相対的に設けた基準レベルとの差異に応じてＳＩＦ＆ＳＤＥＴ回路４１の利得をフィードバック制御している。さらに、音多復調回路４２では、検波出力レベルの監視に基づいて音声信号が周波数帯域に対応した信号レベルの強調処理がなされたものであると判別したときに、分離した主チャンネル音声信号と副チャンネル音声信号の音声復調時に元の信号レベルに復元している。これにより、チューナ１０とＳＩＦ＆ＳＤＥＴ回路４１との間で上述したようなマッチング作業を行う必要がなくなり、製造作業効率も向上する。
【００２５】
次に、上記のように構成した本実施形態の動作について説明する。
チューナ１０は、Ｕ／Ｖアンテナを介してテレビ放送信号を受信可能であり、マイコン３０が受信チャンネルを指示すると、チューナ１０内部のフロントエンド１１が同受信チャンネルに対応した周波数のテレビ放送信号を受信して中間周波信号に変換し、映像中間周波信号と音声中間周波信号とを個別に出力する。そして、チューナ１０内部のＶＩＦ回路１２がフロントエンド１１から出力された映像中間周波信号を映像中間周波増幅した後にビデオＩＣ２０に供給する。
【００２６】
すると、ビデオＩＣ２０は、入力された映像中間周波増幅信号にて映像検波するとともに、その映像検波出力にて輝度信号と、搬送色信号およびカラーバースト信号と、同期信号とを分離する。そして、分離した輝度信号については適宜増幅するとともに、分離した搬送色信号およびカラーバースト信号に基づいて所定の色復調処理を施して元の色信号を生成し、増幅後の輝度信号と生成した元の色信号とからなる映像信号を図示しない受像管に供給する。また、分離された同期信号からさらに垂直および水平同期信号に分離し、これらに基づいて垂直および水平発振出力を得て上記受像管の偏向コイルに供給する。また、ビデオＩＣ２０内部のＡＧＣ回路が映像検波出力のレベルに応じたＡＧＣ電圧を発生してチューナ１０に供給するとともに、チューナ１０にてＡＧＣ電圧に基づいて利得を制御し、映像のコントラストが一定になるように保っている。
【００２７】
一方、チューナ１０のフロントエンド１１から出力された音声中間周波信号は、オーディオＩＣ４０内部のＳＩＦ＆ＳＤＥＴ回路４１に供給されて音声中間周波増幅および音声検波を経た後に音多復調回路４２に供給されるが、このときオーディオＩＣ４０内部にてＳＩＦ＆ＳＤＥＴ回路４１の出力の利得を制御する。例えば、ｄｂｘ方式が採用されている場合には、音声信号レベルがｄＢ値で半減されているため、適宜、チューナ１０の出力特性に応じてＳＩＦ＆ＳＤＥＴ回路４１の出力の利得を制御する。
【００２８】
音多復調回路４２は、ＳＩＦ＆ＳＤＥＴ回路４１からの音声検波出力にて主チャンネル音声信号と副チャンネル音声信号およびパイロット信号とを分離するとともに、副チャンネル音声信号についてはＦＭ検波し、パイロット信号についてはＡＭ検波して取り出す。そして、パイロット信号のＡＭ検波出力に基づいてステレオ放送であるか、二カ国語放送であるか、あるいはモノラル放送であるかを検知する。ここにおいて、ステレオ放送であることを検知した場合には、主チャンネル音声信号である（Ｌ＋Ｒ）信号とＦＭ検波後の副チャンネル音声信号である（Ｌ−Ｒ）信号を加算および減算してＬおよびＲの音声信号を得て左右に分配して出力する。
【００２９】
また、二カ国語放送であることを検知した場合には、主チャンネル音声信号を主音声信号として、ＦＭ検波後の副チャンネル音声信号を副音声信号として復調し、利用者の選択に応じて主音声または副音声のいずれを出力するか、あるいはそれぞれを同時に分配出力するかを切り換える。さらに、モノラル放送の場合には、副チャンネル音声信号は存在しないため、主チャンネル音声信号を左右両方に出力する。むろん、ｄｂｘ方式が採用される場合、音多復調回路４２は音声復調時に信号レベルを復元して出力する。
【００３０】
このように、チューナ１０のフロントエンド１１にてテレビ音声多重信号を受信して中間周波信号に変換しつつ映像中間周波信号および音声中間周波信号を個別に出力し、映像中間周波信号についてはチューナ１０内部のＶＩＦ回路１２にて映像中間周波増幅後にビデオＩＣ２０にて映像信号を生成し、音声中間周波信号についてはオーディオＩＣ４０内部のＳＩＦ＆ＳＤＥＴ回路４１にて音声中間周波増幅するとともに周波数帯域に対応した信号レベルの強調処理がなされた音声信号に基づく主チャンネル音声信号と副チャンネル音声信号とをフロントエンド１１の出力特性のばらつきによって音声信号レベルが低下している場合でも分離可能となるように音声検波出力レベルに応じてフィードバックによる利得制御をしつつ音声検波し、音多復調回路４２にてその音声検波出力にて主チャンネル音声信号と副チャンネル音声信号に分離して復調するようにしたため、チューナ１０の出力特性に合わせてチューナ１０とＳＩＦ＆ＳＤＥＴ回路４１との間の信号入出力レベルのマッチング作業を行う必要がなく、製造作業効率を向上させることが可能となるとともに、ｄｂｘ方式等を利用した放送形態が採用される場合に好適なテレビジョン受信装置を提供することができる。
【図面の簡単な説明】
【図１】本発明の一実施形態にかかるテレビジョン受信装置の構成を示すブロック図である。
【図２】同テレビジョン受信装置のチューナ内部におけるフロントエンドの詳細な構成を示すブロック図である。
【図３】同テレビジョン受信装置のオーディオＩＣ内部におけるＳＩＦ＆ＳＤＥＴ回路の出力周波数特性を示す図である。
【図４】同オーディオＩＣ内部における音多復調回路の詳細な構成を示すブロック図である。
【図５】従来例にかかるテレビジョン受信装置の構成を示すブロック図である。
【符号の説明】
１０…チューナ
１１…フロントエンド
１２…ＶＩＦ回路
２０…ビデオＩＣ
３０…マイコン
４０…オーディオＩＣ
４１…ＳＩＦ＆ＳＤＥＴ回路
４２…音多復調回路
【図１】
0003617927.tif 000002
【図２】
0003617927.tif 000003
【図３】
0003617927.tif 000004
【図４】
0003617927.tif 000005
【図５】
0003617927.tif 000006